(57)【要約】【解決手段】  使用者が保持して操作する光線を照射する光照射手段５を設けたプローブ３と、光線の制御を行う制御手段６を設けた本体部４とを備えた光線治療装置１に関する。  上記本体部４にＩＣカード１１（携帯記憶媒体）に登録された治療プロトコルを読み込む読込手段１２と、上記治療プロトコルに設定されている光線の照射部位を使用者に指示するモニタ部１３（操作指示手段）とを設け、上記制御手段６は上記モニタ部１３に照射部位を指示させるとともに、上記治療プロトコルに設定されている設定値で上記光照射手段５から光線を照射させる。【効果】  治療プロトコルに従って光線を照射させることが可能であり、光線治療装置を安全に使用することができる。【選択図】  図１
2019187511.tif 000002
【特許請求の範囲】
【請求項１】
使用者が保持して操作するプローブと、当該プローブに設けられて患部に光線を照射する光照射手段と、当該光照射手段の光線の制御を行う制御手段が設けられた本体部とを備えた光線治療装置において、
上記本体部に、携帯記憶媒体に登録された治療プロトコルを読み込む読込手段と、上記読み込まれた治療プロトコルに設定されている光線の照射部位を使用者に指示する操作指示手段とを設け、
上記制御手段は、上記照射部位を上記操作指示手段に指示させるとともに、上記治療プロトコルに設定されている設定値で上記光照射手段から光線を照射させることを特徴とする光線治療装置。
【請求項２】
上記操作指示手段としてモニタを備え、照射部位を画像で指示することを特徴とする請求項１に記載の光線治療装置。
【請求項３】
上記操作指示手段として音声出力手段を備え、照射部位を音声で指示することを特徴とする請求項１または請求項２に記載の光線治療装置。
【請求項４】
上記制御手段に、読み込まれた治療プロトコルの設定値を変更するプロトコル変更手段を備えたことを特徴とする請求項１ないし請求項３に記載の光線治療装置。
【請求項５】
患部の状態を示す画像を医療機関に設けられた端末に送信するとともに、上記医療機関の端末からプロトコル変更情報を受信する通信手段を備え、
上記プロトコル変更情報に基づき、上記プロトコル変更手段によって治療プロトコルの設定値を変更することを特徴とする請求項４に記載の光線治療装置。
【請求項６】
光線の設定値を設定した治療プロトコルを読み込み、当該治療プロトコルに従って光線を照射する光線治療装置のプロトコル設定方法であって、
使用者から患部の状態を示す画像を医療機関に送信するステップと、
上記画像を医療機関で受信するステップと、
上記医療機関からプロトコル変更情報を使用者に送信するステップと、
上記プロトコル変更情報を使用者が受信するステップと、
上記読み込まれた治療プロトコルの設定値を当該プロトコル変更情報に基づいて変更するステップとを備えたことを特徴とする光線治療装置のプロトコル設定方法。
【請求項７】
上記プロトコル変更情報が新たな設定値を設定した治療プロトコルであって、
上記治療プロトコルの設定値を変更するステップにおいては、上記読み込まれた治療プロトコルに代えて新たな治療プロトコルを読み込むことを特徴とする請求項６に記載の光線治療装置のプロトコル設定方法。
【請求項８】
上記治療プロトコルの設定値を変更するステップにおいては、上記読み込まれた治療プログラムの設定値を上記使用者が当該プロトコル変更情報に基づいて変更することを特徴とする請求項６に記載の光線治療装置のプロトコル設定方法。
【発明の詳細な説明】
【技術分野】
【０００１】
本発明は光線治療装置および光線治療装置のプロトコル設定方法に関し、詳しくは、光線の照射部位と当該光線の設定値を設定した治療プロトコルを読み込んで光線を照射させる光線治療装置、および当該光線治療装置の治療プロトコルの設定値を変更可能としたプロトコル設定方法に関する。
【背景技術】
【０００２】
従来、乾癬、白斑、アトピー性皮膚炎などの皮膚病の治療を目的に、ナローバンドＵＶＢ（中波紫外線）の光線を患部に照射して治療する光線治療装置が知られている。
このような光線治療装置を持ち運び可能としたものとして、使用者が保持可能なプローブに、光線を照射する光照射手段を設けた光線治療装置（特許文献１）が知られているが、これまで光線治療は患者自身が自宅で治療を行う在宅治療は認められていなかった。
一方、予め患者が病院で医師の診察を受け、その診断結果に基づいてＩＣカードに処方データを記録し、自宅に備えた自動腹膜透析装置等に当該ＩＣカードを読み込ませて、上記処方データに基づいて上記自動腹膜透析装置の動作を制御するようにした在宅治療管理システムが知られている（特許文献２）。
これと同様、プログラムが記録されたＩＣカードを在宅用医療機器に読み込み、在宅用医療機器が取得する測定データ等を、ＩＣカードに記録された治療調整プログラムにより判断することで、在宅用医療機器の治療条件を変更するようにした在宅治療管理システムも知られている（特許文献３）。
これら特許文献２、３のように、一部の分野では自宅に医療機器を設置して医療行為を行うことが可能となっており、特許文献１のような光線治療装置についても在宅治療の適用が望まれている。
【先行技術文献】
【特許文献】
【０００３】
【特許文献１】特開２０１７−１６４４１７号公報
【特許文献２】特許第５４９７３１７号公報
【特許文献３】特開２００２−３２４７７号公報
【発明の概要】
【発明が解決しようとする課題】
【０００４】
しかしながら、特許文献１のような光線治療装置を用いた在宅治療を困難にする理由として、特許文献１の光線治療装置のようにプローブを操作して患者の患部に光線を照射させなければならないという点が挙げられる。
つまり、特許文献２、３ではＩＣカードを用いて自動腹膜透析装置の動作や在宅用医療機器の治療条件を変更するものの、プローブの操作までは想定されていなかった。
このような問題に鑑み、本発明は安全性の向上した光線治療装置および光線治療装置の治療プロトコルの設定値を変更可能とした光線治療装置のプロトコル設定方法を提供するものである。
【課題を解決するための手段】
【０００５】
すなわち請求項１の発明にかかる光線治療装置は、使用者が保持して操作するプローブと、当該プローブに設けられて患部に光線を照射する光照射手段と、当該光照射手段の光線の制御を行う制御手段が設けられた本体部とを備えた光線治療装置において、
上記本体部に、携帯記憶媒体に登録された治療プロトコルを読み込む読込手段と、上記読み込まれた治療プロトコルに設定されている光線の照射部位を使用者に指示する操作指示手段とを設け、
上記制御手段は、上記照射部位を上記操作指示手段に指示させるとともに、上記治療プロトコルに設定されている設定値で上記光照射手段から光線を照射させることを特徴としている。
また、請求項６の発明にかかる光線治療装置のプロトコル設定方法は、光線の設定値を設定した治療プロトコルを読み込み、当該治療プロトコルに従って光線を照射する光線治療装置のプロトコル設定方法であって、
使用者から患部の状態を示す画像を医療機関に送信するステップと、
上記画像を医療機関で受信するステップと、
上記医療機関からプロトコル変更情報を使用者に送信するステップと、
上記プロトコル変更情報を使用者が受信するステップと、
上記読み込まれた治療プロトコルの設定値を当該プロトコル変更情報に基づいて変更するステップとを備えたことを特徴としている。
【発明の効果】
【０００６】
上記請求項１の発明によれば、携帯記憶媒体に登録された治療プロトコルを読み込むようになっており、上記操作指示手段が当該治療プロトコルに設定されている光線の照射部位を指示するため、使用者はその指示に従ってプローブを患部に正確に位置させることができる。
そのうえで、上記治療プロトコルに設定されている設定値で光線を照射させることから、患部に対して適切に光線が照射されることとなり、使用者は在宅で正確な治療を行うことが可能となる。
また、医療機関においては、患者ごとに携帯記憶媒体を備えておくことにより、患者が来院してすぐに患者ごとの治療プロトコルに従った治療を開始することができる。
さらに、請求項６の発明によれば、医療機関から送信されるプロトコル変更情報に基づいて治療プロトコルを変更することができるので、適切な設定値で光線を照射することができる。
【図面の簡単な説明】
【０００７】
【図１】本実施例にかかる光線治療装置および光線治療装置の在宅治療管理システムの構成図
【図２】光線治療装置を用いた在宅治療の手順を示すフロー
【図３】光線治療装置を用いた在宅治療の手順を示すフロー
【図４】光線治療装置を用いた在宅治療の手順を示すフロー
【発明を実施するための形態】
【０００８】
以下、図示実施例について説明すると、図１は光線治療装置１および当該光線治療装置１を用いた在宅治療管理システム２を説明する図であって、上記光線治療装置１は乾癬や白斑、アトピー性皮膚炎などの皮膚病を治療する装置であり、当該光線治療装置１を患者の自宅に設置して、患者自らが在宅にて皮膚病の治療を行うことを可能とするものとなっている。
なお、以下の説明において、患者は光線治療装置１の操作を行う使用者であるが、当該患者以外にも、当該患者を看護する看護者等も使用者として操作を行うことが可能となっており、また医療機関で使用する場合は医師が使用者となる。
上記光線治療装置１は、使用者が保持可能なプローブ３と、上記プローブ３とケーブルを介して接続された本体部４とを備え、上記本体部４には上記プローブ３を収容可能な収容部４ａが形成されており、使用者はプローブ３やその他の付属機器を上記収容部４ａに収容することで光線治療装置１を容易に持ち運びすることが可能となっている。なお、プローブ３と本体部４の接続は有線に限らず、各種の無線方式であってもよい。
【０００９】
上記プローブ３には患者の皮膚に光線を照射する光照射手段５が設けられ、波長２８０〜３２０ｎｍのいわゆるナローバンドＵＶＢ（中波紫外線）の光線を照射するようになっており、上記波長の光線を患者の患部に照射することで、上述したような皮膚病を治療することが可能である。
また上記プローブ３は使用者によって操作しやすい形状を有するとともに、光照射手段５からの光線の照射開始を指示するためのトリガースイッチ３ａを備え、また上記光照射手段５から照射された光線が直接患者の目に入射しないように図示しないカバーを備えている。
【００１０】
上記本体部４には、上記光照射手段５への電力を供給するための図示しない電源部と、上記プローブ３の操作に基づいて光照射手段５より照射される光線の制御を行う制御手段６が設けられている。
上記制御手段６は上記光照射手段５より照射される光線の照射出力、照射時間、照射回数などの設定値に従って制御するようになっており、上記プローブ３のトリガースイッチ３ａが操作されると、これらの設定値に従って光照射手段５から光線を照射させるようになっている。なお、設定値としては、照射出力に照射時間を乗じることで照射量として表すこともできる。
【００１１】
このような光線治療装置を用いて治療を行う場合、従来は医療機関において医師が患者の患部について診断を行い、患部ごとに医師が毎回光線の適切な照射出力、照射時間、照射回数などを光線治療装置に設定するようになっている。
そのうえで、医師が光線治療装置のプローブを上記患部に接触させ、その状態で当該プローブのトリガースイッチを操作することで、制御手段に設定された光線が患部に照射され、当該患部を治療するものとなっている。
このように、各患部に対する光線の照射出力等の設定や上記プローブの操作は、医療機関において医師が行うものであったが、このような光線治療装置を患者の自宅に設置して患者自身および看護者等からなる使用者が操作する場合には、使用者による操作ミスをなくして安全で確実な治療を行うようにする必要がある。
つまり、使用者が正確にプローブを位置させることや、仮に使用者が患部に適切にプローブを位置させることができたとしても、当該患部に対して適切な光線の照射出力等を設定することは困難であり、また照射出力や照射時間、照射回数が異なる複数の患部を治療する場合には、さらに操作が複雑となり操作ミスを誘発する原因となる。
【００１２】
そこで本実施例の光線治療装置１は、上記光線治療装置１に以下の構成を設けることで、患者自身や看護者等の使用者が医師の指示に基づいた正しい治療を行うことを可能としたものである。
まず、上記プローブ３には、使用者による余計な操作や誤操作を防止するため、上記トリガースイッチ３ａ以外の操作スイッチ等は省略されている。
次に、上記本体部４には、ＩＣカード１１に登録された治療プロトコルを読み込んで上記制御手段６に登録する読込手段１２と、上記治療プロトコルに登録された光線の照射部位を指示する操作指示手段としてのモニタ部１３ａと音声出力部１３ｂとが設けられている。
上記ＩＣカード１１は、患者が医療機関において医師より受け取る携帯記憶媒体となっており、診断結果に基づいて光線の照射部位すなわち患部の位置と共に、上記光照射手段５が照射する光線の照射出力、照射時間、照射回数などからなる設定値が設定された治療プロトコルを登録したものとなっている。
そして上記読込手段１２は、上記ＩＣカード１１から治療プロトコルを読み込んで上記制御手段６に登録するようになっており、このとき使用者は例えばＩＣカード１１を読込手段１２に接触させるだけで、その他の操作を要さずに治療プロトコルを制御手段６に登録することが可能となっている。
次に上記モニタ部１３ａには、上記制御手段６に登録された治療プロトコルに基づいて、光線の照射部位を指示する画像が表示されるようになっている。具体的には、実際に患部を撮影した写真や動画、もしくはそれに代わるアニメーションやイラストを表示するようになっており、プローブ３を接触させる位置を明確に認識することができれば、いずれの表示手法も採用することができる。また、音声出力部１３ｂからは音声による治療部位のアナウンスを行うようになっている。
このような構成とすることで、使用者は上記モニタ部１３ａに表示された画像等を見ながら、または音声出力部１３ｂからのアナウンスを聞きながらプローブ３を正確に患部に位置させることが可能であり、その状態で使用者がプローブ３のトリガースイッチ３ａを操作すれば、制御手段６は上記治療プロトコルに設定された設定値に従って当該患部に好適な照射出力、照射時間、照射回数で光照射手段５より光線を照射させ、患部に対して適切な治療を行うことができる。
【００１３】
次に、上記光線治療装置１を用いた治療は所定期間に亘って継続的に行うことが効果的であるが、一方で短時間に大量の光線を照射することは患部へのダメージがあるため望ましくない。
そこで本実施例の光線治療装置１において、上記制御手段６に登録される治療プロトコルには、各照射部位について上記光線を照射するインターバルが設定されている。
このため、使用者が光線治療装置１を作動させても、制御手段６は少なくとも設定されたインターバルに相当する時間が経過するまでは、上記モニタ部１３に再度の治療を行えない旨を表示させ、光照射手段５からの光線の照射が行えないようになっている。
【００１４】
次に、上記本体部４には、医療機関に設けられたパーソナルコンピュータやスマートフォン、タブレット等の端末１４との間で通信を行う通信手段１５と、患者の皮膚の状態を撮影するカメラ１６とが設けられ、また上記制御手段６には当該制御手段６に登録された治療プロトコルの内容を変更するためのプロトコル変更手段１７が設けられている。
上記カメラ１６が撮影した画像は上記通信手段１５によって医療機関の上記端末１４へと送信されるようになっており、医師は当該端末１４を用いて患者の患部の状態を観察することが可能となっている。
医師は上記端末１４で受信した画像に基づいて患部の診断を行い、当該患部について追加の治療が必要であるか否かの判断や、今後治療する場合における光線の照射出力、照射時間、照射回数に変更が必要か否かを検討する。
その後医師は、治療の回数を変更する場合や光線の設定値の変更を行う場合には、新たな治療プロトコルを作成するとともに、当該治療プロトコルを診断結果に基づくプロトコル変更情報として、上記端末１４から上記通信手段１５を介して患者の自宅の光線治療装置１へと送信する。
上記患者の自宅において、光線治療装置１の通信手段１５が新たな治療プロトコルからなるプロトコル変更情報を受信した場合、上記プロトコル変更手段１７がそれまで制御手段６に登録されていた治療プロトコルを上記新たな治療プロトコルへと変更する。
なお、上記カメラ１６および通信手段１５については、従来公知のスマートフォンやタブレット等の携帯型通信端末に設けられたカメラや通信手段によって代替することが可能である。
その際、制御手段６に登録された治療プロトコルを新たな治療プロトコルに変更する際には、上記携帯型端末が有する機能を用いて上記読込手段１２との間で近距離通信を行い、新たな治療プロトコルを読み取らせることが可能である。
その他にも、予めプロトコル変更手段１７に治療プロトコルを書き換えるための暗号コードを登録しておき、医療機関からプロトコル変更情報として上記携帯型端末に送信された暗号コードを、本体部４に設けた入力手段によって入力することで、治療プロトコルの変更を行うことも考えられる。
すなわち、プロトコル変更情報として新たな設定値を送信し、患者や看護者等の光線治療装置１の使用者が当該新たな設定値を直に入力して変更することもできるが、プロトコル変更手段１７に照射出力を数％減少もしくは増加させるといった、複数の設定値の変更指令を予め登録しておき、入力される暗号コードに基づいて対応する変更指令を読み出して、現在使用している治療プロトコルを変更することもできる。
【００１５】
以下、図２〜図４を用いて、上記構成を有する光線治療装置１および在宅治療管理システム２による、在宅での皮膚病の治療手順について説明する。
最初に、図２は医療機関における手順を示し、最初に患者は医療機関において医師による診察を受ける（Ａ−１）。ここで医師は患者の患部の状態から、上記光線治療装置１を用いた在宅治療が可能であるか否かを判断する。
次に、医師が在宅治療が可能であると判断した場合、医師は患者や看護者等の使用者に対して光線治療装置１の操作方法や、使用上の注意事項等の指導を行う（Ａ−２）。
そして医師は、診断内容に基づいて、光線の照射部位ごとに、当該光線の照射出力、照射時間、照射回数を設定した治療プロトコルを作成し、これを上記ＩＣカード１１に登録する（Ａ−３）。
そして患者は、上記ＩＣカード１１と共に上記光線治療装置１を医療機関より預かり、これを患者の自宅へと持ち帰る（Ａ−４）。
【００１６】
図３は自宅における治療手順を示し、最初に使用者は光線治療装置１の本体部４を電源に接続したり、本体部４に上記ケーブルを介してプローブ３を接続するなどの準備を行う（Ｂ−１）。
そして光線治療装置１を作動させると、最初に医療機関より預かった上記ＩＣカード１１を上記本体部４の読込手段１２に接触させて、パスワードを入力するなどしてこの装置で治療を行う患者であることを確認するとともに、上記通信手段１５が作動して上記医療機関の端末１４との間で通信を行い、治療プロトコルの変更の有無を確認する（Ｂ−２）。
初めての在宅治療の場合や、治療プロトコルに変更がない場合には、上記ＩＣカード１１に登録されている治療プロトコルを上記本体部４の読込手段１２に読み込ませる（Ｂ−３ａ）。
これにより、ＩＣカード１１に登録された治療プロトコルが上記制御手段６に登録されることとなる。なお、２回目以降の治療であって治療プロトコルの変更がない場合には、治療プロトコルの読み込みを省略して制御手段６に登録された治療プロトコルをそのまま使用することができる。
一方、後述する図４に示した医師による通信を用いた診断の結果、治療プロトコルに変更があった場合には、上記通信手段１５が医療機関の端末１４から送信される新たな治療プロトコルを受信し、プロトコル変更手段１７によって制御手段６に登録されている治療プロトコルを新たな治療プロトコルへと変更する（Ｂ−３ｂ）。
なお、治療プロトコルの一例として、例えば照射部位としての顔に対し、第１週目は照射出力：２０ｍＷ、照射時間：５秒間、照射回数：２回として、これを１日おきに照射し、第２週目は照射出力：２０ｍＷ、照射時間：１０秒間、照射回数：１回としてこれを毎日照射し、第３週目は照射出力：２０ｍＷ、照射時間：１５秒間、照射回数：１回として、これを毎日照射すると設定する。
また照射部位としての左腕に対し、第１週目は照射出力：２０ｍＷ、照射時間：１０秒間、照射回数：１回としてこれを毎日照射し、第２週目は照射出力：３０ｍＷ、照射時間：５秒間、照射回数：２回としてこれを毎日照射し、第３週目は照射出力：３０ｍＷ、照射時間：１０秒間、照射回数：１回としてこれを毎日照射するように設定する。
そして診断の結果、治療プロトコルを新たな治療プロトコルに変更する場合、例えば照射部位としての顔に対し、上記第１週目の照射の実施を終了した時点で診断を行った結果、第２週目は照射出力：２０ｍＷ、照射時間：５秒間、照射回数：１回としてこれを毎日照射し、第３週目は照射出力：２０ｍＷ、照射時間：１０秒間、照射回数：１回としてこれを毎日照射するように設定を変更し、一方照射部位としての左腕については変更をしないようにすることができる。
【００１７】
続いて、制御手段６に登録された治療プロトコルに基づいて、上記モニタ部１３ａおよび音声出力手段１３ｂが上記プローブ３による光線の照射部位を指示する（Ｂ−４）。具体的には、上記治療プロトコルに基づいて、照射部位である患部を示す画像を上記モニタ部１３に表示させるとともに、音声によるアナウンスを行う。
次に、使用者はプローブ３を保持してこれを上記モニタ部１３ａに表示された患部（照射部位）に位置させる（Ｂ−５）。
このとき、例えば安全のため上記プローブ３にセンサ等を設けておき、当該プローブ３が皮膚に接触したことを検出するまで、制御手段６はトリガースイッチ３ａの操作をキャンセルするようにすることができる。
続いて、使用者は上記プローブ３に設けられたトリガースイッチ３ａを操作して、光照射手段５より患部に向けて光線を照射する（Ｂ−６）。使用者がトリガースイッチ３ａを操作すると、制御手段６は上記治療プロトコルに登録された照射部位に対応する光線の照射出力、照射時間、照射回数に従い、光照射手段５より光線を患部に向けて照射させる。
このとき、モニタ部１３ａの表示を照射部位を示す画像から、現在カメラ１６で撮影している画像に切り換えることにより、患者自身が照射をする場合などには、照射部位を画像で確認しながら照射を行うことができ、照射部位としての顔に照射する場合に、鏡を見るようにカメラ１６で撮影される自分の顔をモニタ部１３ａで確認しながら、必要な患部に照射をすることができる。
【００１８】
このようにして上記治療プロトコルに基づいて光線の照射が終了すると、当該患部についての治療が終了し、制御手段６はその他の患部についての治療が必要か否かを確認する。
その他の患部についての治療が必要な場合、制御手段６はその他すべての患部の治療が終了するまで、上記Ｂ−４、Ｂ−５、Ｂ−６にかかる作業を繰り返し、ＩＣカード１１に登録されたすべての治療プロトコルについての治療を終了させる。
そしてすべての患部の治療が終了したら、上記通信手段１５を用いた医師による画像の診断手順（図４）を行うか、当該診断が不要な場合には光線治療装置１の電源を切断してプローブ３等の片づけを行う（Ｂ−７）。
なお、このように構成される光線治療装置１を医師が医療機関で使用することも可能である。すなわち、治療を行う患者ごとにＩＣカード１１を準備して、各々のＩＣカード１１に患者ごとの治療プロトコルを登録しておき、医療機関での治療の際に、対象の患者に対応するＩＣカード１１から治療プロトコルを読み込むようにする。これにより、医師は治療に際してその都度治療プロトコルを入力する手間を省くことができ、入力ミスを防止することができる。
【００１９】
そして図４は上記光線治療装置１による治療が終了した後、治療の終了した患部の画像を用いた医師の診断、ならびに診断結果に基づく治療プロトコルの変更手順を説明するものである。
最初に、図３に示した手順に基づいて光線治療装置１による治療が終了すると、使用者は上記本体部４に設けられたカメラ１６を用いて、治療の終了した患部の画像を撮影し、当該画像を通信手段１５を用いて医療機関の端末１４へと送信する（Ｃ−１）。このとき複数の患部の治療を行った場合には、すべての患部または照射により変化の起こった患部について画像を送信する。
次に、医療機関では上記端末１４が上記画像を受信し、医師は受信した画像から患部の状態を診察する（Ｃ−２）。医師は、患部の画像から、これ以上の治療が必要であるか、もしくは照射する光線の設定を変更する必要があるかなどの判断を行う。
診断の結果、それまでの治療プロトコルで治療を続行する場合、医師は特に作業を行わず、使用者は図３に示す作業に基づいて治療を続行することができる。
一方、診断の結果、これ以上の治療が不要となった場合や、光線の設定を変更する必要が生じた場合には、医師が該当する患部について新たな治療プロトコルを作成する（Ｃ−３）。
具体的には、治療が不要となった患部についての治療プロトコルを削除したり、治療後の患部の状態に基づいて光線の照射出力や照射時間を増減した新たな設定値の治療プロトコルを作成する。
【００２０】
このようにして新たな治療プロトコルを作成すると、医師は上記端末１４を操作し、患者の光線治療装置１に対してプロトコル変更情報として新たな治療プロトコルや暗号コードを送信する（Ｃ−４）。
作成された新たな設定値の治療プロトコルは、上記図３のＢ−２の工程で説明したように、光線治療装置１が作動した際に通信手段１５が受信し、その後図３のＢ−３ｂに示す工程においてプロトコル変更手段１７が、制御手段６の先に読み込まれている治療プロトコルに代えて、新たな治療プロトコルを読み込んで書き換え、または使用者が入力するようになっている。
【００２１】
上記本発明にかかる光線治療装置１によれば、医師の診断に基づいて作成された治療プロトコルに従い、患者自らまたは看護者等の使用者が光線を用いた治療を正確に行うことが可能となる。
その際、使用者はモニタ部１３ａ及び音声出力部１３ｂの指示に基づいてプローブ３を操作して患部に位置させ、その状態でトリガースイッチ３ａを操作するだけで、当該患部に適した設定値に従って光線が自動的に照射されるため、医師でなくとも光線を照射する位置を間違えることなく、また当該患部に対して適切な設定値による光線治療を行うことができる。
【００２２】
なお、上記実施例は光線治療装置１に通信機能を備えた場合を説明したが、上述したように携帯型端末にて画像を送信する使用方法の場合は、Ｃ−４のステップにより医師から携帯型端末に送信された暗号コードや新たな設定値を、Ｂ−３ｂのステップにおいて患者や看護者等の使用者自身が光線治療装置１に入力することにより、同様に治療プロトコルの変更を行うことができる。
【符号の説明】
【００２３】
１  光線治療装置                    ２  在宅治療管理システム
３  プローブ                        ４  本体部
５  光照射手段                      ６  制御手段
１１  ＩＣカード（携帯記憶媒体）  １２  読込手段
１３ａ  モニタ部（操作指示手段）  １３ｂ  音声出力手段（操作指示手段）
１４  端末                        １５  通信手段
１６  カメラ                      １７  プロトコル変更手段
【図１】
2019187511.tif 000003
【図２】
2019187511.tif 000004
【図３】
2019187511.tif 000005
【図４】
2019187511.tif 000006